(57)【特許請求の範囲】
【請求項１】
利用者が選択した楽曲の演奏を行うカラオケ装置であって、
選択された楽曲の演奏中の所定タイミングにおいて、その時点までの歌唱により得られた歌唱データに基づいて、当該歌唱により実際に消費された歌唱カロリーを算出する歌唱カロリー算出部と、
選択された前記楽曲の楽曲データに基づいて、前記所定タイミングまでの歌唱により消費されると予想される標準カロリーを算出する標準カロリー算出部と、
算出された前記歌唱カロリーと、算出された前記標準カロリーとを比較する比較部と、
前記比較結果に応じて、マイクのボリュームを調整するマイクボリューム制御部と、
を有することを特徴とするカラオケ装置。
【請求項２】
前記標準カロリー算出部は、前記楽曲全てを歌唱した場合に消費されると予想される全体標準カロリーを算出し、
割合算出部は、選択された前記楽曲を歌唱することにより前記利用者が消費したいと考える目標カロリーに対する前記全体標準カロリーの割合を算出し、
前記比較部は、算出された前記歌唱カロリーと、算出された前記割合を乗じた前記標準カロリーとを比較することを特徴とする請求項１記載のカラオケ装置。
【請求項３】
前記マイクボリューム制御部は、前記歌唱カロリーが前記標準カロリーよりも少ないという比較結果が得られた場合、前記マイクのボリュームを下げる制御を行う請求項１または２記載のカラオケ装置。
【請求項４】
前記マイクボリューム制御部は、前記マイクボリュームが所定値よりも下げられている状態において、前記楽曲のサビ部分が演奏される際には、前記マイクボリュームを上げる制御を行うことを特徴とする請求項１〜３のいずれか一つに記載のカラオケ装置。
【発明の詳細な説明】
【技術分野】
【０００１】
本発明はカラオケ装置に関する。
【０００２】
カラオケ歌唱によって消費されるカロリーを利用者に対して提示する技術は様々なものが存在する。
【０００３】
たとえば、特許文献１には、利用者が選択した楽曲のカラオケ歌唱を行う前に、当該楽曲を歌唱した際に消費されると予想される標準的なカロリー（以下、「標準カロリー」という場合がある）を提示する技術が開示されている。
【０００４】
また、特許文献２には、マイクロホンからの歌唱入力音量に基づいて、実際の歌唱により消費されたカロリー（以下、「歌唱カロリー」という場合がある）を提示する技術が開示されている。
【先行技術文献】
【特許文献】
【０００５】
【特許文献１】特開２０００−１６３０８０号公報
【特許文献２】特開２０００−０２９４７９号公報
【発明の概要】
【発明が解決しようとする課題】
【０００６】
しかし、特許文献１及び特許文献２の技術では、カラオケ演奏中のある時点において、どれくらいカロリーが消費されているかを把握することができない。
【０００７】
従って、歌唱の仕方によっては、実際の歌唱カロリーが予想される標準カロリーよりも少ない場合（或いは多い場合）がありうる。
【０００８】
本発明の目的は、利用者に対して適当なカロリー消費を促すことが可能なカラオケ装置を提供することにある。
【課題を解決するための手段】
【０００９】
上記目的を達成するための主たる発明は、利用者が選択した楽曲の演奏を行うカラオケ装置であって、選択された楽曲の演奏中の所定タイミングにおいて、その時点までの歌唱により得られた歌唱データに基づいて、当該歌唱により実際に消費された歌唱カロリーを算出する歌唱カロリー算出部と、選択された前記楽曲の楽曲データに基づいて、前記所定タイミングまでの歌唱により消費されると予想される標準カロリーを算出する標準カロリー算出部と、算出された前記歌唱カロリーと、算出された前記標準カロリーとを比較する比較部と、前記比較結果に応じて、マイクのボリュームを調整するマイクボリューム制御部と、を有するカラオケ装置である。
本発明の他の特徴については、後述する明細書及び図面の記載により明らかにする。
【発明の効果】
【００１０】
本発明によれば、利用者に対して適当なカロリー消費を促すことができる。
【図面の簡単な説明】
【００１１】
【図１】第１実施形態に係るカラオケ装置の概略を示す図である。
【図２】第１実施形態に係るカラオケ本体のハードウェア構成例を示す図である。
【図３】第１実施形態に係るカラオケ本体のソフトウェア構成例を示す図である。
【図４】第１実施形態に係るマイクボリューム制御部で用いるテーブルを模式的に示した図である。
【図５】第１実施形態に係るカラオケ装置の処理を示すフローチャートである。
【図６】第２実施形態に係るカラオケ本体のソフトウェア構成例を示す図である。
【図７】第２実施形態に係るカラオケ装置の処理を示すフローチャートである。
【発明を実施するための形態】
【００１２】
後述する明細書及び図面の記載から、上記の主たる発明の他、少なくとも以下の事項が明らかとなる。
【００１３】
すなわち、前記標準カロリー算出部は、選択された前記楽曲全てを歌唱した場合に消費されると予想される全体標準カロリーを算出し、割合算出部は、選択された前記楽曲を歌唱することにより前記利用者が消費したいと考える目標カロリーに対する前記全体標準カロリーの割合を算出し、前記比較部は、算出された前記歌唱カロリーと、算出された前記割合を乗じた前記標準カロリーとを比較するカラオケ装置が明らかとなる。
このようなカラオケ装置によれば、利用者が目標とするカロリー消費を促すことが可能となる。
【００１４】
また、前記マイクボリューム制御部は、前記歌唱カロリーが前記標準カロリーよりも少ないという比較結果が得られた場合、前記マイクのボリュームを下げる制御を行うカラオケ装置が明らかとなる。
このようなカラオケ装置によれば、ある時点までの歌唱により実際に消費された歌唱カロリーが少ない場合に、より適切なカロリー消費を促すことができる。
【００１５】
また、前記マイクボリューム制御部は、前記マイクボリュームが所定値よりも下げられている状態において、前記楽曲のサビ部分が演奏される際には、前記マイクボリュームを上げる制御を行うカラオケ装置が明らかとなる。
このようなカラオケ装置によれば、利用者に対して、より適切なカロリー消費を促すことができる。
【００１６】
＜第１実施形態＞
図１〜図５を参照して、第１実施形態に係るカラオケ装置１について説明する。
【００１７】
＝＝カラオケ装置＝＝
（ハードウェア構成）
カラオケ装置１は、利用者が選択した楽曲のカラオケ演奏及び利用者が歌唱を行うための装置である。図１に示すように、カラオケ装置１は、カラオケ本体１０、スピーカ２０、表示装置３０、マイク４０、及びリモコン装置５０を備える。
【００１８】
カラオケ本体１０は、予約登録された楽曲の演奏制御、歌詞や背景映像等の表示制御、マイク４０を通じて入力された歌唱音声信号の処理といった、カラオケ歌唱に関する各種の制御を行う。図２はカラオケ本体１０のハードウェア構成例を示す図である。カラオケ本体１０は、制御部１１、通信部１２、記憶部１３、音響処理部１４、表示処理部１５及び操作部１６を備える。各構成はインターフェース（図示なし）を介してバスＢに接続されている。
【００１９】
制御部１１は、ＣＰＵ１１ａおよびメモリ１１ｂを備える。ＣＰＵ１１ａは、メモリ１１ｂに記憶された動作プログラムを実行することにより各種の制御機能を実現する。メモリ１１ｂは、ＣＰＵ１１ａに実行されるプログラムを記憶したり、プログラムの実行時に各種情報を一時的に記憶したりする記憶装置である。
【００２０】
通信部１２は、ルーター（図示なし）を介してカラオケ本体１０を通信回線に接続するためのインタフェースを提供する。
【００２１】
記憶部１３は、各種のデータを記憶する大容量の記憶装置であり、たとえばハードディスクドライブなどである。
【００２２】
記憶部１３は、複数の楽曲データを記憶する。楽曲データは、カラオケ装置１によりカラオケ演奏を行うためのデータである。楽曲データは、楽曲の旋律及び伴奏を構成する複数の音符の時系列の集合である。音符は、音量情報及び持続時間情報を含む。カラオケ装置１が楽曲データに基づいて楽曲を演奏することにより、利用者はカラオケの歌唱が可能となる。楽曲データは、楽曲毎に所定のＩＤ（楽曲ＩＤ）が付与されている。
【００２３】
音響処理部１４は、制御部１１の制御に基づき、カラオケ楽曲に対する演奏の制御およびマイク４０を通じて入力された音声信号の処理を行う。音響処理部１４は、たとえばＭＩＤＩ音源、ミキサ、アンプ（いずれも図示なし）を含む。ＭＩＤＩ音源は、楽曲データに基づいて楽音信号を生成する。ミキサは、当該音楽信号およびマイク４０から出力される音声信号を適当な比率でミキシングしてアンプに出力する。アンプは、ミキサからのミキシング信号を増幅し、放音信号としてスピーカ２０へ出力する。これにより、スピーカ２０からは放音信号に基づくカラオケ演奏音およびマイク４０からの歌唱音声が放音される。
【００２４】
表示処理部１５は、制御部１１の制御に基づき、表示装置３０における各種表示に関する処理を行う。たとえば、表示処理部１５は、カラオケ演奏時における背景映像に歌詞テロップや各種アイコンが重ねられた映像を表示装置３０に表示させる。
【００２５】
操作部１６は、パネルスイッチおよびリモコン受信回路などからなり、利用者によるカラオケ装置１のパネルスイッチあるいはリモコン装置５０の操作に応じて予約信号、演奏中止信号などの操作信号を制御部１１に対して出力する。制御部１１は、操作部１６からの操作信号を検出し、対応する処理を実行する。
【００２６】
スピーカ２０はカラオケ本体１０からの放音信号に基づいて放音するための構成である。表示装置３０はカラオケ本体１０からの信号に基づいて映像や画像を画面に表示するための構成である。マイク４０は利用者の音声（歌唱音声）をアナログの音声信号に変換してカラオケ本体１０に入力するための構成である。
【００２７】
リモコン装置５０は、カラオケ本体１０に対する各種操作をおこなうための装置である。利用者はリモコン装置５０を用いて楽曲の予約等を行うことができる。リモコン装置５０のディスプレイには各種操作の指示入力を行うためのＧＵＩが表示される。
【００２８】
（カラオケ本体のソフトウェア構成）
図３はカラオケ本体１０のソフトウェア構成例を示す図である。カラオケ本体１０は、歌唱カロリー算出部１００、標準カロリー算出部２００、比較部３００及びマイクボリューム制御部４００を備える。歌唱カロリー算出部１００、標準カロリー算出部２００、比較部３００及びマイクボリューム制御部４００は、ＣＰＵ１１ａがメモリ１１ｂに記憶されるプログラムを実行することにより実現される。
【００２９】
［歌唱カロリー算出部］
歌唱カロリー算出部１００は、選択された楽曲の演奏中の所定タイミングにおいて、その時点までの歌唱により得られた歌唱データに基づいて、当該歌唱により実際に消費された歌唱カロリーを算出する。
【００３０】
所定タイミングは、楽曲の演奏区間において予め設定された任意のタイミングである。例として、楽曲Ｘが、１番（Ａメロ（１）、Ｂメロ（１）、サビ（１））、２番（Ａメロ（２）、Ｂメロ（２）、サビ（２））、３番（Ｂメロ（３）、サビ（３）、サビ（４））から構成されているとする。この場合、たとえば１番の演奏が終了した時点を所定のタイミングとすることができる。
【００３１】
歌唱カロリーの算出は、公知の技術を応用することができる。たとえば、歌唱カロリー算出部１００は、演奏開始から１番の演奏が終了するまでにマイク４０から入力される歌唱入力音声を所定の時間間隔でサンプリングし、得られた歌唱入力音声を積算した値を求める。そして、歌唱カロリー算出部１００は、積算した値を特許文献２に開示された所定のアルゴリズムに従って、演奏開始から１番の演奏が終了するまでに実際に消費された歌唱カロリーに換算する。歌唱カロリー算出部１００は、算出した歌唱カロリーを比較部３００に出力する。
【００３２】
［標準カロリー算出部］
標準カロリー算出部２００は、選択された楽曲の楽曲データに基づいて、所定タイミングまでの歌唱により消費されると予想される標準カロリーを算出する。
【００３３】
標準カロリーの算出は、公知の技術を応用することができる。たとえば、標準カロリー算出部２００は、選択された楽曲の楽曲データのうち、演奏開始から１番の演奏が終了するまでに含まれる音符毎に音量情報と持続時間情報の積に相関した音符積分値を求め、それらの音符積分値を積算することで標準カロリーを算出する（詳細は、特許文献１に記載されている処理を援用する）。標準カロリー算出部２００は、算出した標準カロリーを比較部３００に出力する。
【００３４】
［比較部］
比較部３００は、歌唱カロリー算出部１００によって算出された歌唱カロリーと、標準カロリー算出部２００によって算出された標準カロリーとを比較する。
【００３５】
たとえば、比較部３００に入力された歌唱カロリーの値が１００ｃａｌ、標準カロリーが１５０ｃａｌであったとする。この場合、比較部３００は、歌唱カロリーが５０ｃａｌ少ないという結果（比較結果）をマイクボリューム制御部４００に出力する。この場合、標準カロリーの方が実際の歌唱カロリーよりも大きいため、実際の歌唱では十分なカロリー消費が行われていないと判断できる。
【００３６】
［マイクボリューム制御部］
マイクボリューム制御部４００は、比較部３００による比較結果に応じて、マイクのボリュームを調整する。
【００３７】
たとえば、マイクボリューム制御部４００は、歌唱カロリーが標準カロリーよりも少ないという比較結果が得られた場合、マイク４０のボリュームを下げる制御を行う。
【００３８】
マイクのボリューム制御は、たとえば、マイク４０から入力される音声信号を音響処理部１４に出力する際の出力値を調整することにより行うことができる。或いは、音響処理部１４のミキサにおいて楽音信号と音声信号をミキシングする際に、音声信号の比率を調整することにより行うことでもよい。
【００３９】
マイクボリュームを調整する値は、予め所定のテーブルが設定されている。テーブルはたとえば記憶部１３に記憶されている。図４はテーブルの一例を示す。たとえば、上述のように標準カロリーよりも歌唱カロリーが５０ｃａｌ少ない場合、マイクボリューム制御部４００は、図４に示すテーブルに基づいて、マイク４０のボリュームをデフォルト値（たとえば１００）よりも２０下げる。
【００４０】
一方、標準カロリーよりも歌唱カロリーが多いという比較結果が得られた場合、マイクボリューム制御部４００は、マイク４０のボリュームを上げる制御を行うことも可能である。或いは、標準カロリーよりも歌唱カロリーの方が多い場合、少なくともその時点では十分なカロリー消費が出来ていると考えることもできる。従って、標準カロリーよりも歌唱カロリーの方が多い場合（図４において、γが０よりプラス方向に大きい場合）、マイクボリューム制御部４００は、ボリューム制御を行わないとすることも可能である。
【００４１】
なお、上記例では、所定のタイミングとして一のタイミング（１番の演奏が終了した時点）の例で説明したがこれに限られない。一の楽曲中で複数の時点を所定のタイミングとしてもよい（すなわち、所定のタイミングは複数あってもよい）。たとえば、上記例において、各サビの演奏が終了した時点を所定のタイミングとすることも可能である。この場合、歌唱カロリー算出部１００は、演奏開始〜サビ（１）の演奏終了時点、Ａメロ（２）の演奏開始〜サビ（２）の演奏終了時点、Ｂメロ（３）の演奏開示〜サビ（３）の演奏終了時点、サビ（４）の演奏開始〜サビ（４）の演奏終了時点それぞれにおいて、歌唱により得られた歌唱データに基づいて、当該歌唱により実際に消費された歌唱カロリーを算出する。
【００４２】
標準カロリー算出部２００は、演奏開始〜サビ（１）の演奏終了時点、Ａメロ（２）の演奏開始〜サビ（２）の演奏終了時点、Ｂメロ（３）の演奏開示〜サビ（３）の演奏終了時点、サビ（４）の演奏開始〜サビ（４）の演奏終了時点それぞれにおいて、歌唱により消費されると予想される標準カロリーを算出する。
【００４３】
比較部３００は、各所定のタイミングで、歌唱カロリー算出部１００によって算出された歌唱カロリーと、標準カロリー算出部２００によって算出された標準カロリーとを比較する。
【００４４】
マイクボリューム制御部４００は、比較部３００による比較結果に応じて、Ａメロ（２）の演奏開始時には、演奏開始〜サビ（１）の演奏終了時点までの歌唱カロリー及び標準カロリーの比較結果に基づいてマイク４０のボリュームを調整し、Ｂメロ（３）の演奏開示時には、Ａメロ（２）の演奏開始〜サビ（２）の演奏終了時点までの歌唱カロリー及び標準カロリーの比較結果に基づいてマイク４０のボリュームを調整し、サビ（４）の演奏開始時には、Ｂメロ（３）の演奏開示〜サビ（３）の演奏終了時点までの歌唱カロリー及び標準カロリーの比較結果に基づいてマイク４０のボリュームを調整する。
【００４５】
このように複数のタイミングでマイク４０のボリューム調整を行うことにより、歌唱カロリーを標準カロリーにより近づけやすくなる。すなわち、利用者に対して適切なカロリー消費を促すことに繋がる。
【００４６】
＝＝カラオケ装置１の動作について＝＝
次に、図５を参照して本実施形態におけるカラオケ装置１の動作の具体例について述べる。図５は、カラオケ装置１の動作例を示すフローチャートである。この例では、利用者がリモコン装置５０等を介して、予めマイクボリュームを調整する専用のモードを選択しているとする。また、楽曲の１番の演奏が終了する時点が所定のタイミングとして予め設定されているとする。
【００４７】
利用者は、リモコン装置５０を介し、歌唱を希望する楽曲Ｘを選択する。リモコン装置５０は、利用者が選択した楽曲Ｘに対応する楽曲ＩＤをカラオケ本体１０に送信する。カラオケ本体１０は、楽曲Ｘのカラオケ演奏を行う（楽曲の演奏。ステップ１０）。利用者は、カラオケ演奏に合わせて楽曲Ｘの歌唱を行う（楽曲の歌唱。ステップ１１）。
【００４８】
楽曲Ｘの１番の演奏が終了した場合、歌唱カロリー算出部１００は、その時点までの歌唱により得られた歌唱データに基づいて、歌唱カロリーαを算出する（歌唱カロリーの算出。ステップ１２）。歌唱カロリー算出部１００は、算出した歌唱カロリーαを比較部３００に出力する。
【００４９】
また、楽曲Ｘの１番の演奏が終了した場合、標準カロリー算出部２００は、楽曲Ｘの楽曲データに基づいて、その時点までの歌唱により消費されると予想される標準カロリーβを算出する（標準カロリーの算出。ステップ１３）。標準カロリー算出部２００は、算出した標準カロリーβを比較部３００に出力する。ステップ１２及びステップ１３は、逆の順番で行ってもよいし、同時に行ってもよい。
【００５０】
比較部３００は、ステップ１２で算出された歌唱カロリーαと、ステップ１３で算出された標準カロリーβとを比較し、歌唱カロリーαと標準カロリーβとの差分γを求める（カロリーの比較。ステップ１４）。
【００５１】
マイクボリューム制御部４００は、ステップ１４の比較結果に応じて、マイクのボリュームを調整する（マイクボリュームの調整。ステップ１５）。
【００５２】
このように、本実施形態に係るカラオケ装置１によれば、所定のタイミングにおける歌唱カロリーと標準カロリーとの比較結果に応じて、マイク４０のボリュームを調整することにより、利用者に対して適当なカロリー消費を促すことができる。たとえば、標準カロリーよりも歌唱カロリーが少ない場合、その時点では十分なカロリー消費が行えていない。そこで、マイクボリューム制御部４００がマイクボリュームを下げることにより、利用者は自己の歌唱音声とカラオケ演奏との音量差を感じ易くなる（カラオケ演奏に比べて歌唱音声が聞き取りにくくなる）。この場合、利用者は歌唱音声を聞き取りやすくするために声量を上げる必要がある。このように声量を上げることによって、利用者のカロリー消費を促すことができる。
【００５３】
ところで、一般的にサビ部分のように、楽曲中でよく知られているパートについては、利用者の声量（歌唱音声）が大きくなる傾向にある。従って、仮に所定のタイミングにおける歌唱カロリーが標準カロリーよりも少なかったとしても、このようなパートについてはマイクボリュームを下げる必要はない。
【００５４】
そこで、マイクボリューム制御部４００は、マイクボリュームが所定値よりも下げられている状態において、楽曲のサビ部分が演奏される際には、マイクボリュームを上げる制御を行ってもよい。所定値は、たとえば、マイクボリュームのデフォルト値である。
【００５５】
このようにマイクボリュームを制御することにより、利用者に対して、より適切なカロリー消費を促すことができる。
【００５６】
＜第２実施形態＞
図６及び図７を参照して、第２実施形態に係るカラオケ装置１について説明する。第１実施形態と同様の構成については詳細な説明を省略する。
【００５７】
利用者によっては、消費するカロリーの目標値を決めてカラオケ歌唱を行う場合もありうる。しかし、従来の技術では、利用者がカラオケ装置上で目標とする消費カロリーを設定することができない。また、目標とする消費カロリーと歌唱により実際に消費された歌唱カロリーとの差を考慮することができない。本実施形態では、利用者が目標とするカロリー消費を促すことが可能となるカラオケ装置について説明する。
【００５８】
（カラオケ本体のソフトウェア構成）
図６はカラオケ本体１０のソフトウェア構成例を示す図である。カラオケ本体１０は、歌唱カロリー算出部１００、標準カロリー算出部２００、比較部３００、マイクボリューム制御部４００及び割合算出部５００を備える。歌唱カロリー算出部１００、標準カロリー算出部２００、比較部３００、マイクボリューム制御部４００及び割合算出部５００は、ＣＰＵ１１ａがメモリ１１ｂに記憶されるプログラムを実行することにより実現される。
【００５９】
本実施形態に係る標準カロリー算出部２００は、選択されたある楽曲全てを歌唱した場合に消費されると予想される全体標準カロリーを算出する。標準カロリー算出部２００は、表示処理部１５を制御し、算出した全体標準カロリーの値を表示装置５０等に表示させることができる。
【００６０】
全体標準カロリーは、たとえば第１実施形態に示した楽曲ＸにおいてＡメロ（１）からサビ（４）まで歌唱した場合に消費されると予想される値である。全体標準カロリーは、標準カロリー算出部２００によって算出された値を予め楽曲データと関連付けて記憶しておくことでもよい。
【００６１】
割合算出部５００は、選択された楽曲を歌唱することにより利用者が消費したいと考える目標カロリーに対する全体標準カロリーの割合を算出する。
【００６２】
たとえば、利用者は、リモコン装置５０に表示された全体標準カロリーの値（１０ｋｃａｌ）を参考に、目標とする値（目標カロリーの値：１５ｋｃａｌ）を入力する。リモコン装置５０は入力された値を割合算出部５００に送信する。割合算出部５００は、受信した目標カロリーに対する全体標準カロリーの割合（１．５）を算出し、比較部３００に出力する。
【００６３】
本実施形態に係る比較部３００は、歌唱カロリー算出部１００によって算出された歌唱カロリーと、割合算出部５００によって算出された割合を乗じた標準カロリーとを比較する。
【００６４】
上記例において、比較部３００は、所定のタイミングにおいて算出された標準カロリーに割合算出部５００によって算出された割合（１．５）を乗じ、当該所定のタイミングにおいて算出された歌唱カロリーとの比較を行う。
【００６５】
＝＝カラオケ装置１の動作について＝＝
次に、図７を参照して本実施形態におけるカラオケ装置１の動作の具体例について述べる。図７は、カラオケ装置１の動作例を示すフローチャートである。この例では、利用者がリモコン装置５０等を介して、予めマイクボリュームを調整する専用のモードを選択しているとする。また、楽曲の１番の演奏が終了する時点が所定のタイミングとして予め設定されているとする。
【００６６】
利用者は、リモコン装置５０を介し、歌唱を希望する楽曲Ｘを選択する。標準カロリー算出部２００は、選択された楽曲Ｘ全てを歌唱した場合に消費されると予想される全体標準カロリーを算出する（全体標準カロリーの算出。ステップ２０）。標準カロリー算出部２００は、ステップ２０で算出された全体標準カロリーの値をリモコン装置５０に表示させる。
【００６７】
利用者は、全体標準カロリーの値を参照して、リモコン装置５０を介し、楽曲Ｘを歌唱することにより消費したいと考える目標カロリーを設定する（目標カロリーの設定。ステップ２１）。
【００６８】
割合算出部５００は、ステップ２１で設定された目標カロリーに対するステップ２０で算出された全体標準カロリーの割合を算出する（割合の算出。ステップ２２）。割合算出部５００は、算出した割合を比較部３００に出力する。
【００６９】
一方、リモコン装置５０は、利用者が選択した楽曲Ｘに対応する楽曲ＩＤをカラオケ本体１０に送信する。カラオケ本体１０は、楽曲Ｘのカラオケ演奏を行う（楽曲の演奏。ステップ２３）。利用者は、カラオケ演奏に合わせて楽曲Ｘの歌唱を行う（楽曲の歌唱。ステップ２４）。
【００７０】
楽曲Ｘの１番の演奏が終了した場合、歌唱カロリー算出部１００は、その時点までの歌唱により得られた歌唱データに基づいて、歌唱カロリーαを算出する（歌唱カロリーの算出。ステップ２５）。歌唱カロリー算出部１００は、算出した歌唱カロリーαを比較部３００に出力する。
【００７１】
また、楽曲Ｘの１番の演奏が終了した場合、標準カロリー算出部２００は、楽曲Ｘの楽曲データに基づいて、その時点までの歌唱により消費されると予想される標準カロリーβを算出する（標準カロリーの算出。ステップ２６）。
【００７２】
比較部３００は、ステップ２６で算出された標準カロリーβに対し、ステップ２２で算出された割合を乗算し、標準カロリーβ´を求める（標準カロリーに割合を乗算。ステップ２７）。そして、比較部３００は、ステップ２５で算出された歌唱カロリーαと、ステップ２７で求めた標準カロリーβ´とを比較し、歌唱カロリーαと標準カロリーβ´との差分γ´を求める（カロリーの比較。ステップ２８）。
【００７３】
マイクボリューム制御部４００は、ステップ２８の比較結果に応じて、マイクのボリュームを調整する（マイクボリュームの調整。ステップ２９）。
【００７４】
このように、本実施形態に係るカラオケ装置１によれば、利用者が消費したいと考える目標カロリーの値を加味しつつ、所定のタイミングにおける歌唱カロリーと標準カロリーとの比較結果に応じて、マイク４０のボリュームを調整することにより、利用者が目標とするカロリー消費を促すことができる。
【００７５】
上記実施形態等は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００７６】
１  カラオケ装置
１０  カラオケ本体
１００  歌唱カロリー算出部
２００  標準カロリー算出部
３００  比較部
４００  マイクボリューム制御部
【図１】
0006643187.tif 000002
【図２】
0006643187.tif 000003
【図３】
0006643187.tif 000004
【図４】
0006643187.tif 000005
【図５】
0006643187.tif 000006
【図６】
0006643187.tif 000007
【図７】
0006643187.tif 000008